(57)【要約】【課題】電力がなくなる前に、メモが書き込まれたページや未表示のページ等、ユーザが確認したいページを表示することができる表示装置等を提供する。【解決手段】複数ページのうちのいずれかのページのデータの表示状態を、電源手段１０８の電力を消費することなく保持すると共に、電源手段の電力を消費して表示ページの切り替えを行う表示手段１１と、表示ページの１回の切り替えに要する消費電力量を測定する測定手段１０１と、電源手段の残電力量を取得する取得手段１０１を備える。測定された表示ページの１回の切り替えに要する消費電力量と、取得された残電力量とに基づいて、表示ページの切替可能回数を算出し、算出された表示ページの切替可能回数が所定値となったときに、設定された特定のページのデータを表示手段１１に表示させる。【選択図】  図８
2014211583.tif 000002
【特許請求の範囲】
【請求項１】
電源手段と、
複数ページのうちのいずれかのページのデータの表示状態を、前記電源手段の電力を消費することなく保持すると共に、前記電源手段の電力を消費して前記表示ページの切り替えを行う表示手段と、
表示ページの１回の切り替えに要する消費電力量を測定する測定手段と、
前記電源手段の残電力量を取得する取得手段と、
前記測定手段により測定された表示ページの１回の切り替えに要する消費電力量と、前記取得手段により取得された前記電源手段の残電力量とに基づいて、表示ページの切替可能回数を算出する算出手段と、
前記算出手段により算出された表示ページの切替可能回数が所定値となったときに、設定された特定のページのデータを前記表示手段に表示させる制御手段と、
を備えたことを特徴とする表示装置。
【請求項２】
前記表示手段に電力を消費して手書きされたデータを入力する手書きデータ入力手段を備え、
前記特定のページのデータは、前記手書きデータ入力手段により入力された手書きデータを含むページのデータである請求項１に記載の表示装置。
【請求項３】
前記特定のページのデータの表示は、前記算出手段により算出された表示ページの切替可能回数が１回になったときに行われる請求項１または２に記載の表示装置。
【請求項４】
前記制御手段は、前記特定のページが複数ページである場合はこれらの複数ページのデータを縮小して前記表示手段に表示させる請求項１〜３のいずれかに記載の表示装置。
【請求項５】
前記制御手段は、ユーザーによって設定された縮小率で前記複数ページのデータを縮小する請求項４に記載の表示装置。
【請求項６】
前記制御手段は、前記複数ページのデータが文字データである場合、該文字データのフォントサイズを前記表示手段に表示可能な最小のフォントサイズに設定したときの縮小率で前記複数ページのデータを縮小する請求項４に記載の表示装置。
【請求項７】
前記制御手段は、前記特定のページのページ数に応じた縮小率で前記複数ページのデータを縮小する請求項４に記載の表示装置。
【請求項８】
前記制御手段は、縮小された複数ページのデータを同時に表示不可能な場合は、現在表示されているページよりも後のページで現在表示されているページにより近いページか、または現在表示されているページよりも前のページで現在表示されているページに対してより古いページのデータを前記表示手段に表示させる請求項４〜７のいずれかに記載の表示装置。
【請求項９】
縮小された複数ページのデータを同時に表示不可能な場合に前記表示手段に表示させるページをユーザーが設定するための第１の設定手段を備え、
前記制御手段は、縮小された複数ページのデータを同時に表示不可能な場合は、前記第１の設定手段により設定されたページのデータを前記表示手段に表示させる請求項４〜７のいずれかに記載の表示装置。
【請求項１０】
前記表示手段に電力を消費して手書きされたデータを入力する手書きデータ入力手段を備え、
前記複数のページは、前記手書きデータ入力手段により入力された手書きデータを含むページ及び／または同一ファイルでまだ表示されていないページである請求項４〜７のいずれかに記載の表示装置。
【請求項１１】
前記表示手段に表示させる前記複数のページをユーザーが設定するための第２の設定手段を備え、
前記制御手段は、前記第２の設定手段により設定された複数のページのデータを前記表示手段に表示させる請求項４〜１０のいずれかに記載の表示装置。
【請求項１２】
前記特定の複数のページのデータを縮小して前記表示手段に表示させるか否かをユーザーが設定するための第３の設定手段を備え、
前記制御手段は、前記第３の設定手段により複数のページのデータを縮小して前記表示手段に表示させる設定がなされている場合にのみ、複数のページのデータを縮小して前記表示手段に表示させる請求項４〜１１のいずれかに記載の表示装置。
【請求項１３】
前記第３の設定手段によるユーザーの設定は、ページデータの表示中で表示ページの切替可能回数が２回のときに行われる請求項１２に記載の表示装置。
【請求項１４】
電源手段と、複数ページのうちのいずれかのページのデータの表示状態を、前記電源手段の電力を消費することなく保持すると共に、前記電源手段の電力を消費して前記表示ページの切り替えを行う表示手段とを備えた表示装置で実行される表示制御方法であって、
表示ページの１回の切り替えに要する消費電力量を測定する測定ステップと、
前記電源手段の残電力量を取得する取得ステップと、
前記測定ステップにおいて測定された表示ページの１回の切り替えに要する消費電力量と、前記取得ステップにおいて検出された前記電源手段の残電力量とに基づいて、表示ページの切替可能回数を算出する算出ステップと、
前記算出ステップにおいて算出された表示ページの切替可能回数が所定値となったときに、設定された特定のページのデータを前記表示手段に表示させる制御ステップと、
を備えたことを特徴とする表示制御方法。
【請求項１５】
電源手段と、複数ページのうちのいずれかのページのデータの表示状態を、前記電源手段の電力を消費することなく保持すると共に、前記電源手段の電力を消費して前記表示ページの切り替えを行う表示手段とを備えた表示装置のコンピュータに、
表示ページの１回の切り替えに要する消費電力量を測定する測定ステップと、
前記電源手段の残電力量を取得する取得ステップと、
前記測定ステップにおいて測定された表示ページの１回の切り替えに要する消費電力量と、前記取得ステップにおいて取得された前記電源手段の残電力量とに基づいて、表示ページの切替可能回数を算出する算出ステップと、
前記算出ステップにおいて算出された表示ページの切替可能回数が所定値になったときに、設定された特定のページのデータを前記表示手段に表示させる制御ステップと、
を実行させるための表示制御プログラム。
【発明の詳細な説明】
【技術分野】
【０００１】
この発明は、電子ペーパー、タブレット端末等の表示装置、該表示装置で実施される表示制御方法及び表示制御プログラムに関する。
【背景技術】
【０００２】
資料等のデータを表示する表示装置として、内蔵電源の電力を消費することなく表示状態を維持することが可能な例えば電子ペーパーやタブレット端末等が用いられている。
【０００３】
しかし、このような表示装置では、表示データの書き換えを行うときには電力が消費されるため、表示されるページが切り替わる度に、あるいはメモが書き込まれる度に、電力が消費される。特に、打ち合わせやプレゼンテーションの資料が多数ページからなる場合、ページを切り替えたりメモを書き込む頻度が高くなり電力消費が多くなる。
【０００４】
このため、打ち合わせやプレゼンテーションの途中で、表示装置の電力がなくなってしまった場合、新たに充電しなければ資料の内容を確認することができず、不便であった。
【０００５】
また、打ち合わせやプレゼンテーションを行っている時に、後で質問するために資料上に質問内容等をメモ書きしておくことがあるが、この場合も、表示装置の電力が途中でなくなってしまうと、メモの内容を確認することができなかった。
【０００６】
このように、表示装置の電力がデータの表示途中でなくなってしまうと、ユーザーは確認したいページがあっても、そのページをもはや表示させることができない。このため、表示装置の電力がなくなる前に、メモが書き込まれたページや未表示のページ等を表示できるようにして、ユーザーがこれらのページを確認することができれば、使い勝手が良くなり大変便利である。
【０００７】
なお、特許文献１には、撮像手段と、制御手段と、表示手段と、第１の記録手段と、第１の電力供給手段とを有し、撮像した静止画像及び或は動画像を記録媒体に記録及び再生表示する画像処理装置と、第２の記録手段と、第２の電力供給手段とを有し、前記画像処理装置と接続が可能な画像処理装置用ステーション装置において、第１及び或は第２の電力供給手段と第１及び或は第２の記録手段の残容量を検出し、その検出結果に基づいて、第１の電力供給手段への充電及び或は第１の記録手段から第２の記録手段へのデータの保存を行う技術が開示されている。
【０００８】
また、特許文献２には、画像データを受信する通信手段と、受信画像データを蓄積する画像メモリと、蓄積された画像データを印刷出力するプリンタとを有し、上記画像データの印刷出力に際し、上記印刷出力の指令操作が行われた場合、あるいは電池残容量が所定以下になった場合に、上記メモリ内の蓄積画像データを上記プリンタにダイジェスト印刷させる技術が開示されている。
【先行技術文献】
【特許文献】
【０００９】
【特許文献１】特開２００３−３４８５１１号公報
【特許文献２】特開平１０−５１５８３号公報
【発明の概要】
【発明が解決しようとする課題】
【００１０】
しかしながら、上記の各特許文献に記載された技術では、電力切れの直前に、データを別の記録媒体へ保存したり用紙に印刷させるものであり、表示装置の電力がなくなる前に、ユーザが確認したいメモが書き込まれたページや未表示のページ等を表示装置に表示できる技術を提供するものではなかった。
【００１１】
この発明は、このような技術的背景に鑑みてなされたものであって、電力がなくなる前に、メモが書き込まれたページや未表示のページ等、ユーザが確認したいページを表示することができる表示装置及び表示制御方法を提供し、さらには前記表示方法を表示装置のコンピュータに実行させるための表示制御プログラムを提供することを課題とする。
【課題を解決するための手段】
【００１２】
上記課題は、以下の手段によって解決される。
（１）電源手段と、複数ページのうちのいずれかのページのデータの表示状態を、前記電源手段の電力を消費することなく保持すると共に、前記電源手段の電力を消費して前記表示ページの切り替えを行う表示手段と、表示ページの１回の切り替えに要する消費電力量を測定する測定手段と、前記電源手段の残電力量を取得する取得手段と、前記測定手段により測定された表示ページの１回の切り替えに要する消費電力量と、前記取得手段により取得された前記電源手段の残電力量とに基づいて、表示ページの切替可能回数を算出する算出手段と、前記算出手段により算出された表示ページの切替可能回数が所定値となったときに、設定された特定のページのデータを前記表示手段に表示させる制御手段と、を備えたことを特徴とする表示装置。
（２）前記表示手段に電力を消費して手書きされたデータを入力する手書きデータ入力手段を備え、前記特定のページのデータは、前記手書きデータ入力手段により入力された手書きデータを含むページのデータである前項１に記載の表示装置。
（３）前記特定のページのデータの表示は、前記算出手段により算出された表示ページの切替可能回数が１回になったときに行われる前項１または２に記載の表示装置。
（４）前記制御手段は、前記特定のページが複数ページである場合はこれらの複数ページのデータを縮小して前記表示手段に表示させる前項１〜３のいずれかに記載の表示装置。
（５）前記制御手段は、ユーザーによって設定された縮小率で前記複数ページのデータを縮小する前項４に記載の表示装置。
（６）前記制御手段は、前記複数ページのデータが文字データである場合、該文字データのフォントサイズを前記表示手段に表示可能な最小のフォントサイズに設定したときの縮小率で前記複数ページのデータを縮小する前項４に記載の表示装置。
（７）前記制御手段は、前記特定のページのページ数に応じた縮小率で前記複数ページのデータを縮小する前項４に記載の表示装置。
（８）前記制御手段は、縮小された複数ページのデータを同時に表示不可能な場合は、現在表示されているページよりも後のページで現在表示されているページにより近いページか、または現在表示されているページよりも前のページで現在表示されているページに対してより古いページのデータを前記表示手段に表示させる前項４〜７のいずれかに記載の表示装置。
（９）縮小された複数ページのデータを同時に表示不可能な場合に前記表示手段に表示させるページをユーザーが設定するための第１の設定手段を備え、前記制御手段は、縮小された複数ページのデータを同時に表示不可能な場合は、前記第１の設定手段により設定されたページのデータを前記表示手段に表示させる前項４〜７のいずれかに記載の表示装置。
（１０）前記表示手段に電力を消費して手書きされたデータを入力する手書きデータ入力手段を備え、前記複数のページは、前記手書きデータ入力手段により入力された手書きデータを含むページ及び／または同一ファイルでまだ表示されていないページである前項４〜７のいずれかに記載の表示装置。
（１１）前記表示手段に表示させる前記複数のページをユーザーが設定するための第２の設定手段を備え、前記制御手段は、前記第２の設定手段により設定された複数のページのデータを前記表示手段に表示させる前項４〜１０のいずれかに記載の表示装置。
（１２）前記特定の複数のページのデータを縮小して前記表示手段に表示させるか否かをユーザーが設定するための第３の設定手段を備え、前記制御手段は、前記第３の設定手段により複数のページのデータを縮小して前記表示手段に表示させる設定がなされている場合にのみ、複数のページのデータを縮小して前記表示手段に表示させる前項４〜１１のいずれかに記載の表示装置。
（１３）前記第３の設定手段によるユーザーの設定は、ページデータの表示中で表示ページの切替可能回数が２回のときに行われる前項１２に記載の表示装置。
（１４）電源手段と、複数ページのうちのいずれかのページのデータの表示状態を、前記電源手段の電力を消費することなく保持すると共に、前記電源手段の電力を消費して前記表示ページの切り替えを行う表示手段とを備えた表示装置で実行される表示制御方法であって、表示ページの１回の切り替えに要する消費電力量を測定する測定ステップと、前記電源手段の残電力量を取得する取得ステップと、前記測定ステップにおいて測定された表示ページの１回の切り替えに要する消費電力量と、前記取得ステップにおいて検出された前記電源手段の残電力量とに基づいて、表示ページの切替可能回数を算出する算出ステップと、前記算出ステップにおいて算出された表示ページの切替可能回数が所定値となったときに、設定された特定のページのデータを前記表示手段に表示させる制御ステップと、を備えたことを特徴とする表示制御方法。
（１５）電源手段と、複数ページのうちのいずれかのページのデータの表示状態を、前記電源手段の電力を消費することなく保持すると共に、前記電源手段の電力を消費して前記表示ページの切り替えを行う表示手段とを備えた表示装置のコンピュータに、表示ページの１回の切り替えに要する消費電力量を測定する測定ステップと、前記電源手段の残電力量を取得する取得ステップと、前記測定ステップにおいて測定された表示ページの１回の切り替えに要する消費電力量と、前記取得ステップにおいて取得された前記電源手段の残電力量とに基づいて、表示ページの切替可能回数を算出する算出ステップと、前記算出ステップにおいて算出された表示ページの切替可能回数が所定値となったときに、設定された特定のページのデータを前記表示手段に表示させる制御ステップと、を実行させるための表示制御プログラム。
【発明の効果】
【００１３】
前項（１）に記載の発明によれば、測定手段により測定された表示ページの１回の切り替えに要する消費電力量と、取得手段により取得された電源手段の残電力量とに基づいて、表示ページの切替可能回数を算出し、算出された表示ページの切替可能回数が所定値となったときに、設定された特定のページのデータを表示手段に表示させるから、電力がなくなる前に、メモが書き込まれたページや未表示のページ等、特定のページを表示することができる表示装置となる。このため、電力がなくなってユーザーが確認したいページ等があっても、そのページを表示させることができないという不都合をなくし、使い勝手の大変良い表示装置となる。
【００１４】
前項（２）に記載の発明によれば、算出された表示ページの切替可能回数が所定値となったときに、手書きデータ入力手段により入力された手書きデータを含むページが表示されるから、ユーザーは手書き入力されたページを確認することができる。
【００１５】
前項（３）に記載の発明によれば、算出手段により算出された表示ページの切替可能回数が１回となったときに、特定のページのデータが表示されるから、表示装置の電力がなくなる直前にユーザーは特定のページを確認することができる。
【００１６】
前項（４）に記載の発明によれば、特定のページが複数ページである場合は、算出された表示ページの切替可能回数が所定値となったときに、前記複数ページのデータが縮小されて集約表示されるから、ユーザーは複数ページを一度に確認することができる。
【００１７】
前項（５）に記載の発明によれば、ユーザーによって設定された縮小率で前記複数ページのデータが縮小されるから、ユーザー自身が見やすい状態で複数ページを集約表示できる。
【００１８】
前項（６）に記載の発明によれば、複数ページのデータが文字データである場合、該文字データのフォントサイズを表示手段に表示可能な最小のフォントサイズに設定したときの縮小率で複数ページのデータが縮小表示されるから、より多くのページを集約表示できる。
【００１９】
前項（７）に記載の発明によれば、特定のページのページ数に応じた縮小率で複数ページのデータが縮小されるから、各ページを効率的な大きさに縮小することができる。
【００２０】
前項（８）に記載の発明によれば、縮小された複数ページのデータを同時に表示不可能な場合は、現在表示されているページよりも後のページで現在表示されているページにより近いページか、または現在表示されているページよりも前のページで現在表示されているページに対してより古いページのデータが表示手段に表示される。
【００２１】
前項（９）に記載の発明によれば、縮小された複数ページのデータを同時に表示不可能な場合は、ユーザーにより設定されたページのデータ、つまりユーザーが望むページが表示手段に表示される。
【００２２】
前項（１０）に記載の発明によれば、手書きデータ入力手段により入力された手書きデータを含むページ及び／または同一ファイルでまだ表示されていないページのデータが表示手段に表示されるから、ユーザーが確認したいページを効果的に表示させることができる。
【００２３】
前項（１１）に記載の発明によれば、ユーザーにより設定された複数のページのデータが集約表示される。
【００２４】
前項（１２）に記載の発明によれば、ユーザーにより複数のページのデータを縮小して表示手段に表示させる設定がなされている場合にのみ、複数のページのデータが縮小されて前記表示手段に表示されるから、ユーザーの意思に基づいて複数ページの集約表示を行わせることができる。
【００２５】
前項（１３）に記載の発明によれば、前記第３の設定手段によるユーザーの設定は、ページデータの表示中で表示ページの切替可能回数が２回のときに行われるから、設定のために電力が消費されても、複数ページの集約表示を確実に行わせることができる。
【００２６】
前項（１４）に記載の発明によれば、電力がなくなる前に、メモが書き込まれたページや未表示のページ等、特定のページを表示することができるから、ユーザーが確認したいページ等があっても、電力がなくなってそのページを表示させることができないという不都合をなくし、使い勝手を改善することができる。
【００２７】
前項（１５）に記載の発明によれば、電力がなくなる前に、メモが書き込まれたページや未表示のページ等、特定のページを表示装置に表示する処理を、表示装置のコンピュータに実行させることができる。
【図面の簡単な説明】
【００２８】
【図１】この発明の一実施形態に係る表示装置としての電子ペーパーの正面図である。
【図２】電子ペーパーの電気的な構成を示すブロック図である。
【図３】Ａ〜Ｆの６ページからなる資料を、Ａページから順に表示部に表示していく状態を示す図である。
【図４】表示ページの切替可能回数が所定値に達したタイミングで表示される特定のページとして、手書き入力によるメモが存在しているページが設定されている例を示す図である。
【図５】表示ページの切替可能回数が所定値に達したタイミングで表示される特定のページとして、未表示のページが設定されている例を示すものである。
【図６】表示ページの切替可能回数が所定値に達したタイミングで表示される特定のページとして、手書き入力によるメモが存在しているページと未表示のページが設定されている例を示すものである。
【図７】最小文字サイズを考慮して縮小倍率を設定して複数ページを集約表示した例を示すものである。
【図８】電子ペーパーが行う特定ページの表示処理の動作を示すフローチャートである。
【図９】図８のステップＳ０６の電力状態確認処理のサブルーチンを示すフローチャートである。
【図１０】図８のステップＳ０８の集約ページ作成処理のサブルーチンを示すフローチャートである。
【図１１】（Ａ）は、図１０のステップＳ０８０６の表示可能ページ数算出処理（最小文字サイズ）のサブルーチンを示すフローチャートであり、図１０のステップＳ０８０７の表示可能ページ数算出処理（倍率指定）のサブルーチンを示すフローチャートである。
【発明を実施するための形態】
【００２９】
以下、この発明の実施形態を図面に基づいて説明する。
【００３０】
図１は、この発明の一実施形態に係る表示装置としての電子ペーパー１の正面図である。なお、表示装置は電子ペーパーに限定されることはなく、タブレット端末等であっても良い。
【００３１】
この電子ペーパー１は表示部を備えると共に、下端部にはページ戻しボタン１２と、実行／更新ボタン１３と、ページ送りボタン１４が配設されている。
【００３２】
表示部１１は、後述する電源部の電力を消費することなく表示状態を保持する一方、表示ページを切り替える際には電力を消費する公知の構成のものである。「電力を消費することなく」とは、電力を全く消費しない場合はもとより、電力消費がわずかである場合も許容する概念である。
【００３３】
この表示部１１の表面にはタッチパネル（図示せず）が設けられており、ユーザーはタッチパネルを手書き入力装置２でなぞって文字や図形等のメモを手書き入力することができる構成となされている。なお、手書き入力装置２によるメモの書き込みは、ページ切り替えと同様に電力消費を伴って行われる。
【００３４】
ページ戻しボタン１２は、表示されているページを１つ前のページに切り替えるためのボタンであり、実行／更新ボタン１３は、例えば手書き入力装置２により手書きされたメモの入力を実行するのに用いられ、ページ送りボタン１４は、表示されているページを次のページに切り替えるためのボタンである。
【００３５】
図２は、電子ペーパー１の電気的な構成を示すブロック図である。
【００３６】
電子ペーパー１は、上述した表示部の他、ＣＰＵ１０１、ＲＡＭ１０２、ＲＯＭ１０３、画像処理部１０４、外部記憶装置１０５、操作部１０６、電源管理部１０７、電源部１０８、ネットワークインターフェース（図面ではネットワークＩＦと記されている）１０９を備えている。
【００３７】
ＣＰＵ１０１は、ＲＯＭ１０３や外部記憶装置１０５などに保存されているプログラムをＲＡＭ１０３にロードして実行することにより、電子ペーパー１の全体を統括的に制御する。たとえば、外部記憶装置１０５に記憶された複数ページのデータからなる資料を、ユーザーの指示に基づいて表示部１１に表示するとともに、表示したページを切り替える。さらに、表示ページの１回の切り替えに要する消費電力量を測定したり、電源管理部１０７を介して電源部１０８の残電力量を取得したり、測定した表示ページの１回の切り替えに要する消費電力量と、取得した電源部１０８の残電力量とに基づいて、表示ページの切替可能回数を算出したり、算出された表示ページの切替可能回数が所定値となったときに、予め設定された特定のページのデータを表示部１１に表示させる等の制御を行うが、詳細は後述する。
【００３８】
ＲＡＭ１０２は、ＣＰＵ１０１が動作用プログラムに従って動作する際の作業領域を提供する記憶媒体であり、ＲＯＭ１０３は、ＣＰＵ１０１が実行する動作プログラムやその他のデータを保存する記憶媒体である。
【００３９】
画像処理部１０４は、外部記憶装置１０５に記憶される画像データ等に所定の画像処理を実行する。
【００４０】
外部記憶装置１０５は例えばＳＤカード等の可搬性記録媒体やハードディスク装置等からなり、表示部１１に表示される複数ページの資料のデータやその他のデータを保存する。
【００４１】
操作部１０６は前述したタッチパネルからなり、タッチパネルがタッチされた時のタッチ位置の座標の読み取り等を行う。
【００４２】
電源管理部１０７は電源部１０８の状態を管理するものであり、表示ページの切り替え等が行われるたびに、電源部１０８の残電力量等を取得する。なお、電源部１０８は電子ペーパー１の各部に電力を供給するものであり、充電可能に構成されている。また、表示部１１に表示されるページの切り替えや手書き入力装置２による画面へのメモ書きがあった場合等には、電源部１０８の電力が消費される。
【００４３】
ネットワークインターフェース１０９は、電子ペーパー１と他の外部機器との間で、ネットワークを介してデータの送受信を行う通信手段として機能する。
【００４４】
次に、図１及び図２に示した電子ペーパー１の動作の概要を説明する。
【００４５】
図３のように、例えば打ち合わせやプレゼンテーション中に、Ａ〜Ｆの６ページからなる資料（ファイル）を、Ａページから順に表示部１１に表示していくものとする。図３の例では、現在Ｄページが表示部１１に表示されており、Ａ〜Ｃの各ページは既に表示済みであり、Ｅ及びＦの各ページは未表示であるとする。また、Ｂページ及びＣページは手書き入力によるメモ（手書きメモ）が存在しているページである。
【００４６】
この実施形態では、電子ペーパー１は、表示部１１に表示されているページを他のページに１回切り替えたときに要する消費電力量を測定するとともに、この消費電力量と前記電源部１０８の残電力量とに基づいて、表示ページの切替可能回数を算出する。そして、算出された表示ページの切替可能回数が所定値となったときに、設定された特定のページのデータを表示部１１に表示させるものとなされている。
【００４７】
表示ページの切替可能回数が所定値となったときに、設定された特定のページのデータを表示部１１に表示させるから、電力がなくなる前に、ユーザーが確認したい手書きメモのあるページや未表示のページ等の特定のページを表示することができる。このため、電力がなくなってしまい、ユーザーが確認したいページ等があってもそのページを表示させることができないという不都合をなくし、使い勝手を向上できる。
【００４８】
また、表示ページの切替可能回数が所定値となったときに、特定のページのデータを表示部１１に表示させるか否かを、ユーザーがタッチパネルや実行／更新ボタン１３等を用いて設定できる構成としても良い。
【００４９】
表示ページの切替可能回数の所定値としては、例えば１回、あるいは２回、３回等を例示できるが、これに限定されることはない。この所定値はデフォルトで設定されていても良いし、ユーザーがタッチパネルや実行／更新ボタン１３等を用いて設定できる構成としても良い。
【００５０】
また、前記所定値となったときに表示部１１に表示される特定のページも、予めデフォルトで設定されていても良いが、ユーザーがタッチパネルや実行／更新ボタン１３等を用いて設定できる構成としても良い。ユーザーによる設定は全ての資料に共通の設定として予め行われていても良いし、資料の表示を行わせる前や表示中その他任意のタイミングで、その都度設定を行う構成としても良い。ただし、資料表示中に設定する場合、設定動作にも電量が消費されるから、電源部１０８の残電力量として、２回の表示ページの切り替えが可能な電力量が確保されているとき、つまり表示ページの切替可能回数が２回のときに行われるのが望ましい。なお、表示ページの切替可能回数が３回以上のときに行われても良い。
【００５１】
特定のページが複数のページである場合、これらの複数のページは縮小されて集約表示つまり同時に表示部１１に表示される。
【００５２】
図４は、特定のページとして、手書きメモの存在するページが設定されている例を示すものである。これにより、電力がなくなる前に、ユーザーは手書きメモの存在するページを確認することができる。
【００５３】
この実施形態では、前述したように、Ｂ及びＣページの２ページが手書きメモの存在しているページであり、これらの２ページがそれぞれ表示倍率７０．７％に自動的に縮小され、向きも９０度回転されて表示部１１に集約表示される。
【００５４】
縮小倍率は特定ページのページ数に応じて自動的に設定されても良いし、ユーザーが予めあるいは資料表示の都度、タッチパネルや実行／更新ボタン１３等を用いて設定できる構成としても良い。ただし、資料表示中に設定する場合、少なくとも２回の表示ページの切り替えが可能な電力量が確保されているときに設定が行われるのが望ましい。
【００５５】
また、複数のページのデータを縮小して表示部１１に表示させるか否かをユーザーが設定できる構成としても良い。この場合は、複数のページのデータを縮小して表示部１１に表示させる設定がなされている場合にのみ、複数のページのデータが縮小されて表示部１１に表示される。この設定は、ユーザーが予め行っても良いし、資料表示の都度、タッチパネルや実行／更新ボタン１３等を用いて行っても良い。また、予め行うか資料表示の都度行うかをユーザーが選択できるようにしても良い。ただし、資料表示中に設定する場合、２回の表示ページの切り替えが可能な電力量が確保されているときに設定が行われるのが望ましい。
【００５６】
図５は、特定のページとして未表示のページが設定されている例を示すものである。これにより、電力がなくなる前に、ユーザーは未表示のページを確認することができる。
【００５７】
この実施形態では、前述したように、Ｅ及びＦページの２ページが未表示のページであり、これらの２ページがそれぞれ表示倍率７０．７％に縮小され、向きも９０度回転されて表示部１１に集約表示されている。
【００５８】
図６は、集約表示対象の特定のページとして、手書きメモが存在しているページと未表示のページが設定されている例を示すものである。
【００５９】
この場合、特定のページとしてＢ及びＣページとＥ及びＦページの合計４ページが対象となり、これらの４ページがそれぞれ表示倍率５０％に自動的に縮小され、上下左右に１ページずつのレイアウトで表示部１１に集約表示されている。
【００６０】
図７は、最小文字サイズを考慮して縮小倍率を設定し複数ページを集約表示した例を示すものである。
【００６１】
図４〜６の例では、特定のページのページ数に応じて、これらの複数ページが表示部１１の全体に表示されるように、ページ数に応じた縮小率で各ページが縮小された場合を示した。これに対し、図７の例では、手書きメモが存在しているＢ及びＣページと未表示のＥ及びＦページの合計４ページが、ページ内のテキストデータの一文字が表示部１１で表示可能な最小文字サイズと一致するような縮小倍率で縮小され、表示されている。
【００６２】
このような縮小倍率に設定することで、より多くのページを集約表示することができる。
【００６３】
ところで、特定のページが複数ページである場合、縮小倍率によっては全てのページを同時に表示部１１に表示できない場合がある。例えば、縮小倍率が７０．７％に設定されている状態では表示部１１に同時に表示されるページ数は２ページであり、手書きメモが存在しているＢ及びＣページと未表示のＥ及びＦページの合計４ページを、同時に表示させることができない。
【００６４】
そこでこの場合は、現在表示されているページ（例えばページＤ）よりも後のページ（新しいページ）であるＥ及びＦページの２ページか、または現在表示されているページよりも前のページ（古いページ）であるＢ及びＣページの２ページを、優先的に表示部１１に表示させる。前者の場合、図４と同じ表示状態となり、後者の場合、図５と同じ表示状態となる。
【００６５】
新しいページや古いページが３ページ以上存在しており、一度に集約表示できない場合は、新しいページのうち現在表示されているページにより近いページや、古いページのうち現在表示されているページに対してよりより古いページから順に優先的に表示させても良い。
【００６６】
いずれのページを優先的に表示させるかは、予めデフォルトで設定されていても良い。また、ユーザーが予めあるいは資料表示の都度、タッチパネルや実行／更新ボタン１３等を用いて設定できる構成としても良い。
【００６７】
図８は、電子ペーパー１が行う特定ページの表示処理の動作を示すフローチャートである。この処理は、電子ペーパー１のＣＰＵ１０１がＲＯＭ１０３または外部記憶装置１０５に格納されている動作プログラムに従って動作することにより実行される。
【００６８】
ステップＳ０１では、所定のタイミングで複数ページを縮小して表示する設定、つまり集約表示設定がなされているかどうかを判断する。設定されていなければ（ステップＳ０１でＮＯ）、処理を終了する。設定されていれば（ステップＳ０１でＹＥＳ）、ステップＳ０２で、集約表示タイミングとして、電源部１０８の残電力が表示ページの切替可能回数１回（最後の１回）になったタイミングをセットしたのち、ステップＳ０３に進む。
【００６９】
ステップＳ０３では、集約表示設定を資料表示の都度行う設定になっているかどうかを判断し、その都度行う設定になっていなければ（ステップＳ０３でＮＯ）、ステップＳ０５に進む。その都度行う設定になっていれば（ステップＳ０３でＹＥＳ）、ユーザーの指示に基づく設定を行うのに電力消費を伴うことから、ステップＳ０４で、集約表示タイミングとして、電源部１０８の残電力が表示ページの切替可能回数２回（最後の２回）になったタイミングをセットしたのち、ステップＳ０５に進む。
【００７０】
ステップＳ０５では、ページが切り替えられるのを待ち（ステップＳ０５でＮＯ）、ページが切り替えられると（ステップＳ０５でＹＥＳ）、ステップＳ０６で、電力状態確認処理を実行する。この処理については後述する。
【００７１】
次いで、ステップＳ０７で、電源部１０８の残電力が集約表示タイミングに達したかどうかを、表示ページの切替可能回数が１回または２回になったかどうかで判断する。電源部１０８の残電力が集約表示タイミングに達していなければ（ステップＳ０７でＮＯ）、ステップＳ０５に進む。達していれば（ステップＳ０７でＹＥＳ）、ステップＳ０８で、集約ページ作成処理を実行した後、ステップＳ０９で、作成された集約ページのデータを表示部１１に表示する。集約ページ作成処理については後述する。
【００７２】
図９は、図８のステップＳ０６の電力状態確認処理のサブルーチンを示すフローチャートである。
【００７３】
ステップＳ０６１では、ページ切り替えに要したページ切替電力量を取得する。ページ切替電力量は、電源部１０８のページ切替前の残電力量とページ切替後の残電力量との差から求められる。
【００７４】
次に、ステップＳ０６２で、ステップＳ０６１で求めたページ切替電力量が、ページ切替最大電力量よりも大であるか否かを判断し、大であれば（ステップＳ０６２でＹＥＳ）、ステップＳ０６３で、前記ページ切替電力量をページ切替最大電力量に置き換えた後、ステップＳ０６４に進む。ページ切替電力量が、ページ切替最大電力量よりも大でなければ（ステップＳ０６２でＮＯ）、そのままステップＳ０６４に進む。
【００７５】
このように、ページ切替最大電力量を基準に電源部１０８の残電力量が判断されるから、１回分または２回分の切替可能回数となっても必要十分な残電力量を確保できる。なお、１ページ当たりの切り替えに要する消費電力量の測定は、上記方法に限定されることはない。
【００７６】
ステップＳ０６４では、電源部１０８の残電力量を取得した後、ステップＳ０６５で、残電力量がページ切替電力量×３よりも大かどうかを判断する。大であれば（ステップＳ０６５でＹＥＳ）、ステップＳ０６６で、切替可能回数として２回以上をセットした後、本ルーチンを終了し、図８のルーチンにリターンする。大でなければ、（ステップＳ０６５でＮＯ）、ステップＳ０６７で、切替可能回数として２回をセットした後、ステップＳ０６８に進む。
【００７７】
ステップＳ０６８では、電源部１０８の残電力量が残電力量がページ切替電力量×２よりも大かどうかを判断する。大であれば（ステップＳ０６８でＹＥＳ）、図８のルーチンにリターンする。大でなければ、（ステップＳ０６８でＮＯ）、ステップＳ０６９で、切替可能回数として１回をセットした後、図８のルーチンにリターンする。
【００７８】
図１０は、図８のステップＳ０８の集約ページ作成処理のサブルーチンを示すフローチャートである。
【００７９】
ステップＳ０８０１で、集約表示対象として未表示ページが設定され、かつ未表示ページが存在するか否かを判断する。設定されかつ存在すれば（ステップＳ０８０１でＹＥＳ）、ステップＳ０８０２で、未表示ページを集約表示対象のページ数に加算したのち、ステップＳ０８０３に進む。設定されていないかまたは存在しない場合は（ステップＳ０８０１でＮＯ）、そのままステップＳ０８０３に進む。
【００８０】
ステップＳ０８０３では、集約表示対象として手書きメモが存在するページ（手書きページ）が設定され、かつ手書きページが存在するか否かを判断する。設定されかつ存在すれば（ステップＳ０８０３でＹＥＳ）、ステップＳ０８０４で、手書きページを集約表示対象のページ数に加算したのち、ステップＳ０８０５に進む。設定されていないかまたは存在しない場合は（ステップＳ０８０３でＮＯ）、そのままステップＳ０８０５に進む。
【００８１】
ステップＳ８０５では、ユーザー等によって指定された表示倍率の内容に応じて、ステップＳ０８０６〜Ｓ０８０８の処理を行う。
【００８２】
即ち、最小文字サイズが指定されている場合は、ステップＳ０８０６で、最小文字サイズに対応する表示可能ページ数算出処理を実行する。縮小倍率が指定されている場合は、ステップＳ０８０７で、倍率指定に対応する表示可能ページ数算出処理を実行する。集約対象として全ページが指定されている場合は、ステップＳ０８０８で、表示可能ページ数として対象ページ数をセットする。前記各対象ページ縮小処理については後述する。
【００８３】
次いで、ステップＳ０８０９で、表示不可ページ数として、対象ページ数と表示可能ページ数の差をセットした後、ステップＳ０８１０で、表示不可ページがあるかどうかを判断する。表示不可ページがあれば（ステップＳ０８１０でＹＥＳ）、ステップＳ０８１１に進む。表示不可ページがなければ（ステップＳ０８１０でＮＯ）、ステップＳ０８１４に進む。
【００８４】
ステップＳ０８１１では、ユーザー等によって設定された、表示不可ページが存在するときの設定内容を調べる。設定内容が、現在の表示ページよりも古いページ順に表示する設定となっている場合は、ステップＳ０８１２で、古いページ順に表示可能ページまでの各ページに対して縮小処理を行って集約ページデータを作成した後、ステップＳ０８１５に進む。設定内容が、現在の表示ページよりも新しいページ順に表示する設定となっている場合は、ステップＳ０８１３で、新しいページ順に表示可能ページまでの各ページに対して縮小処理を行って集約ページデータを作成した後、ステップＳ０８１５に進む。ステップＳ０８１４では、全ページに対して縮小処理を行って集約ページデータを作成した後、ステップＳ０８１５に進む。
【００８５】
ステップＳ０８１５では、縮小された各ページが集約された集約ページを作成して、本ルーチンを終了し、図８のルーチンにリターンする。
【００８６】
図１１（Ａ）は、図１０のステップＳ０８０６の表示可能ページ数算出処理（最小文字サイズ）のサブルーチンを示すフローチャートである。
【００８７】
ステップＳ０８０６１で、集約表示対象のページの表示文字サイズを取得したのち、ステップＳ０８０６２で、（最小表示文字サイズ）÷（表示文字サイズ）を求めて、その値を表示倍率としてセットする。次いで、ステップＳ０８０６３で、（１÷表示倍率）×（１÷表示倍率）の値を求め、その値を表示可能ページ数としてセットしたのち、本ルーチンを終了し、図１０のルーチンにリターンする。
【００８８】
図１１（Ｂ）は、図１０のステップＳ０８０７の表示可能ページ数算出処理（倍率指定）のサブルーチンを示すフローチャートである。
【００８９】
ステップＳ０８０７１で、指定された表示倍率を取得し表示倍率としてセットする。次に、ステップＳ０８０７２で、（１÷表示倍率）×（１÷表示倍率）の値を求め、その値を表示可能ページ可能ページ数としてセットしたのち、本ルーチンを終了し、図１０のルーチンにリターンする。
【符号の説明】
【００９０】
１        電子ペーパー（表示装置）
２        手書き入力装置
１１      表示部
１０１    ＣＰＵ
１０２    ＲＡＭ
１０３    ＲＯＭ
１０５    外部記憶装置
１０６    操作部
１０７    電源管理部
１０８    電源部
【図１】
2014211583.tif 000003
【図２】
2014211583.tif 000004
【図３】
2014211583.tif 000005
【図４】
2014211583.tif 000006
【図５】
2014211583.tif 000007
【図６】
2014211583.tif 000008
【図７】
2014211583.tif 000009
【図８】
2014211583.tif 000010
【図９】
2014211583.tif 000011
【図１０】
2014211583.tif 000012
【図１１】
2014211583.tif 000013